【手続補正書】
【提出日】平成21年9月17日(2009.9.17)
【手続補正１】
【補正対象書類名】特許請求の範囲
【補正対象項目名】全文
【補正方法】変更
【補正の内容】
【特許請求の範囲】
【請求項１】
複数のチャンネルの番組映像及びデータ放送データを含むデジタル放送信号を受信する放送受信装置であって、
前記デジタル放送信号を受信して、ユーザの指示に従ってチャンネルを選局する受信手段と、
前記受信手段により選局されたチャンネルにおいて、前記データ放送データと前記番組映像を合成して画面に配置した第１の表示形態、又は前記データ放送データと前記番組映像を合成せずに、前記番組映像を前記画面全体に配置した第２の表示形態のいずれかの表示形態で表示を行う表示手段と、
所定のチャンネルにおいて前記第１の表示形態で表示が行われた状態から他のチャンネルが選局された場合に、前記所定のチャンネルにおいて前記第１の表示形態で表示が行われていたことを示す情報を保存部に保存する保存手段と、
前記所定のチャンネルにおいて前記第１の表示形態で表示が行われた状態から他のチャンネルが選局された後、再び前記所定のチャンネルが選局された場合に、前記保存部に保存された情報に基づいて、前記所定のチャンネルにおいて前記第１の表示形態で表示を行うように前記表示手段を制御する制御手段とを備えることを特徴とする放送受信装置。
【請求項２】
前記制御手段は、前記所定のチャンネルにおいて前記第１の表示形態で表示が行われた状態から他のチャンネルが選局された後、予め定められた時間を経過してから再び前記所定のチャンネルが選局された場合は、前記所定のチャンネルにおいて前記第２の表示形態で表示を行うように前記表示手段を制御することを特徴とする請求項１に記載の放送受信装置。
【請求項３】
前記制御手段は、前記所定のチャンネルにおいて前記第１の表示形態で表示が行われた状態から他のチャンネルが選局された場合に、再び前記所定のチャンネルを選局すると前記第１の表示形態で表示を行うことができる旨をユーザに通知することを特徴とする請求項１または請求項２に記載の放送受信装置。
【請求項４】
前記保存手段は、前記所定のチャンネルにおいて前記第１の表示形態で表示が行われた状態から他のチャンネルが選局された場合に、前記所定のチャンネルにおける前記第１の表示形態に対応する前記データ放送データの内容に関するコンテンツ情報を前記保存部にさらに保存し、
前記制御手段は、前記所定のチャンネルにおいて前記第１の表示形態で表示が行われた状態から他のチャンネルが選局された後、再び前記所定のチャンネルが選局された場合に、前記保存部に保存された前記コンテンツ情報に基づいて、前記所定のチャンネルにおける前記第１の表示形態の内容を前記表示手段に再現させることを特徴とする請求項１から請求項３までのいずれか１項に記載の放送受信装置。
【請求項５】
前記制御手段は、前記保存部に保存された前記コンテンツ情報と、前記受信手段により受信されている前記デジタル放送信号に含まれる前記データ放送データとを比較して、前記コンテンツ情報が更新されているか否かを判別し、その判別結果をユーザに通知することを特徴とする請求項４に記載の放送受信装置。
【請求項６】
複数のチャンネルの番組映像及びデータ放送データを含むデジタル放送信号を受信する放送受信装置の画面表示方法であって、
前記デジタル放送信号を受信して、ユーザの指示に従ってチャンネルを選局する受信工程と、
前記受信工程で選局されたチャンネルにおいて、前記データ放送データと前記番組映像を合成して画面に配置した第１の表示形態、又は前記データ放送データと前記番組映像を合成せずに、前記番組映像を前記画面全体に配置した第２の表示形態のいずれかの表示形態で表示を行う表示工程と、
所定のチャンネルにおいて前記第１の表示形態で表示が行われた状態から他のチャンネルが選局された場合に、前記所定のチャンネルにおいて前記第１の表示形態で表示が行われていたことを示す情報を保存部に保存する保存工程と、
前記所定のチャンネルにおいて前記第１の表示形態で表示が行われた状態から他のチャンネルが選局された後、再び前記所定のチャンネルが選局された場合に、前記保存部に保存された情報に基づいて、前記所定のチャンネルにおいて前記第１の表示形態で表示を行うように制御する制御工程
とを有することを特徴とする画面表示方法。
【請求項７】
前記制御工程は、前記所定のチャンネルにおいて前記第１の表示形態で表示が行われた状態から他のチャンネルが選局された後、予め定められた時間を経過してから再び前記所定のチャンネルが選局された場合は、前記所定のチャンネルにおいて前記第２の表示形態で表示を行うことを特徴とする請求項６に記載の画面表示方法。
【請求項８】
前記制御工程は、前記所定のチャンネルにおいて前記第１の表示形態で表示が行われた状態から他のチャンネルが選局された場合に、再び前記所定のチャンネルを選局すると前記所定のチャンネルにおいて前記第１の表示形態で表示を行うことができる旨をユーザに通知することを特徴とする請求項６または請求項７に記載の画面表示方法。
【請求項９】
前記保存工程は、前記所定のチャンネルにおいて前記第１の表示形態で表示が行われた状態から他のチャンネルが選局された場合に、前記所定のチャンネルにおける前記第１の表示形態に対応する前記データ放送データの内容に関するコンテンツ情報を前記保存部にさらに保存し、
前記制御工程は、前記所定のチャンネルにおいて前記第１の表示形態で表示が行われた状態から他のチャンネルが選局された後、再び前記所定のチャンネルが選局された場合に、前記保存部に保存された前記コンテンツ情報に基づいて、前記所定のチャンネルにおける前記第１の表示形態の内容を再現することを特徴とする請求項６から請求項８までのいずれか１項に記載の画面表示方法。
【請求項１０】
前記制御工程は、前記保存部に保存された前記コンテンツ情報と、受信されている前記デジタル放送信号に含まれる前記データ放送データとを比較して、前記コンテンツ情報が更新されているか否かを判別し、その判別結果をユーザに通知することを特徴とする請求項９に記載の画面表示方法。
【手続補正２】
【補正対象書類名】明細書
【補正対象項目名】００１９
【補正方法】変更
【補正の内容】
【００１９】
本発明の放送受信装置は、複数のチャンネルの番組映像及びデータ放送データを含むデジタル放送信号を受信する放送受信装置であって、デジタル放送信号を受信して、ユーザの指示に従ってチャンネルを選局する受信手段と、受信手段により選局されたチャンネルにおいて、データ放送データと番組映像を合成して画面に配置した第１の表示形態、又はデータ放送データと番組映像を合成せずに、番組映像を画面全体に配置した第２の表示形態のいずれかの表示形態で表示を行う表示手段と、所定のチャンネルにおいて第１の表示形態で表示が行われた状態から他のチャンネルが選局された場合に、所定のチャンネルにおいて第１の表示形態で表示が行われていたことを示す情報を保存部に保存する保存手段と、所定のチャンネルにおいて第１の表示形態で表示が行われた状態から他のチャンネルが選局された後、再び所定のチャンネルが選局された場合に、保存部に保存された情報に基づいて、所定のチャンネルにおいて第１の表示形態で表示を行うように表示手段を制御する制御手段とを備える。
【手続補正３】
【補正対象書類名】明細書
【補正対象項目名】００２０
【補正方法】変更
【補正の内容】
【００２０】
本発明の画面表示方法は、複数のチャンネルの番組映像及びデータ放送データを含むデジタル放送信号を受信する放送受信装置の画面表示方法であって、デジタル放送信号を受信して、ユーザの指示に従ってチャンネルを選局する受信工程と、受信工程で選局されたチャンネルにおいて、データ放送データと番組映像を合成して画面に配置した第１の表示形態、又はデータ放送データと番組映像を合成せずに、番組映像を画面全体に配置した第２の表示形態のいずれかの表示形態で表示を行う表示工程と、所定のチャンネルにおいて第１の表示形態で表示が行われた状態から他のチャンネルが選局された場合に、所定のチャンネルにおいて第１の表示形態で表示が行われていたことを示す情報を保存部に保存する保存工程と、所定のチャンネルにおいて第１の表示形態で表示が行われた状態から他のチャンネルが選局された後、再び所定のチャンネルが選局された場合に、保存部に保存された情報に基づいて、所定のチャンネルにおいて第１の表示形態で表示を行うように制御する制御工程とを有する。